(57)【要約】【課題】先行車が方向指示器を作動させていない場合であっても、先行車の右左折の状況に応じて安全装置を適正に作動させることができる車両制御装置を提供する。【解決手段】  ＥＣＵ１０は、自車両５０に搭載され、自車両５０の前方の先行車１００に対し、所定の作動条件に基づき安全装置３１，３２を作動させる。ＥＣＵ１０は、自車両５０の前方の右左折可能な地点を認識する認識部と、認識部により右左折可能な地点が認識された場合に、先行車１００が当該地点において方向指示器１２０を作動させずに曲がる割合を示す割合パラメータを取得する取得部と、割合パラメータに基づいて先行車１００が右左折するか否かを判定する判定部と、判定部による判定結果に基づいて安全装置３１，３２の所定の作動条件を設定する設定部と、を備える。【選択図】      図１
2019016104.tif 000002
【特許請求の範囲】
【請求項１】
自車両（５０）に搭載され、前記自車両の前方の先行車（１００）に対し、所定の作動条件に基づき安全装置（３１，３２）を作動させる車両制御装置（１０）であって、
前記自車両の前方の右左折可能な地点を認識する認識部と、
前記認識部により前記右左折可能な地点が認識された場合に、前記先行車が当該地点において方向指示器を作動させずに曲がる割合を示す割合パラメータを取得する取得部と、
前記割合パラメータに基づいて前記先行車が右左折するか否かを判定する判定部と、
前記判定部による判定結果に基づいて前記安全装置の前記所定の作動条件を設定する設定部と、
を備える車両制御装置。
【請求項２】
前記取得部は、前記割合パラメータを、前記先行車について右左折時における方向指示器の作動履歴を示す履歴情報に基づくパラメータとして取得する請求項１に記載の車両制御装置。
【請求項３】
前記取得部は、前記作動履歴より求められる右左折時における方向指示器の作動率が所定値よりも小さい場合は、前記所定値よりも大きい場合に比べて前記割合パラメータを大きい値として取得し、
前記判定部は、前記割合パラメータが所定の閾値よりも大きい場合に前記先行車が右左折すると判定する請求項２に記載の車両制御装置。
【請求項４】
前記認識部は、前記右左折可能な地点として、前記自車両の前方の交差点を認識し、
前記履歴情報は、前記認識部により認識された交差点における右左折時の方向指示器の作動履歴を示す情報である請求項２又は３に記載の車両制御装置。
【請求項５】
前記取得部は、前記割合パラメータを、前記履歴情報と、前記認識部により認識された交差点における前記先行車の直進、右折、左折の割合を示す進行方向割合とに基づくパラメータとして取得する請求項４に記載の車両制御装置。
【請求項６】
道路走行する各車両について前記右左折可能な地点における各車両の方向指示器の作動実績を逐次取得し記憶部に記憶する道路システム（２００）に適用され、
前記取得部は、前記記憶部に記憶された各車両の前記作動実績より前記先行車についての前記履歴情報を取得する請求項２乃至５のいずれか１項に記載の車両制御装置。
【請求項７】
前記認識部は、前記右左折可能な地点として、前記自車両の前方の交差点を認識し、
交差点ごとに、当該交差点を通過する車両の直進、左折、右折の割合を示す車両割合を取得する割合取得部を備え、
前記判定部は、前記履歴情報が取得されない場合に、前記割合パラメータに代えて、前記認識部により認識された交差点における前記車両割合に基づくパラメータに基づいて、前記先行車が右左折するか否かを判定する請求項２乃至６のいずれか１項に記載の車両制御装置。
【請求項８】
前記取得部は、前記割合パラメータを、前記認識部により認識された右左折可能な地点における道路形態に基づくパラメータとして取得する請求項１又は２に記載の車両制御装置。
【請求項９】
前記認識部は、前記右左折可能な地点として、前記自車両の前方の交差点を認識し、
前記設定部は、前記判定部により前記先行車が前記交差点を右左折すると判定された場合に、前記安全装置の前記所定の作動条件を緩くする側に設定する請求項１乃至８のいずれか１項に記載の車両制御装置。
【発明の詳細な説明】
【技術分野】
【０００１】
本発明は、物体に対して安全装置を作動させる車両制御装置に関する。
【背景技術】
【０００２】
従来、自車両と、自車両の進行方向前方に位置する先行車との衝突を回避するため、警報装置やブレーキ装置等の安全装置を作動させる衝突回避制御が実現されている。
【０００３】
例えば、特許文献１の運転支援装置は、先行車が走行している車線から右左折が可能な交差点又は分岐点の有無と先行車の方向指示器の作動状態（点滅状態）とを判定し、先行車の右左折を予測している。そして、先行車が右左折を行うと予測された場合に、運転支援が実施される。具体的には、現在の車間距離が自車両の減速終了時に所定の車間距離を確保するために現時点で必要とされる車間距離より短い場合に、ドライバに回避行動要求メッセージを提示させることとしている。これにより、先行車との追突の回避を図っている。
【先行技術文献】
【特許文献】
【０００４】
【特許文献１】特開２００８−２５７３５０号公報
【発明の概要】
【発明が解決しようとする課題】
【０００５】
ところで、車両によっては、方向指示器を作動させずに右左折を行う場合がある。かかる場合、上記運転支援装置では右左折を予測することが難しく、先行車の右左折に対応した運転支援の実施が困難となると考えられる。その結果、方向指示器を作動させずに右左折を行う先行車に対し、安全装置が適正に作動されないことが懸念される。
【０００６】
本発明は、上記課題に鑑みてなされたものであり、その主たる目的は、先行車が方向指示器を作動させていない場合であっても、先行車の右左折の状況に応じて安全装置を適正に作動させることができる車両制御装置を提供することにある。
【課題を解決するための手段】
【０００７】
第１の手段では、
自車両（５０）に搭載され、前記自車両の前方の先行車（１００）に対し、所定の作動条件に基づき安全装置（３１，３２）を作動させる車両制御装置（１０）であって、
前記自車両の前方の右左折可能な地点を認識する認識部と、
前記認識部により前記右左折可能な地点が認識された場合に、前記先行車が当該地点において方向指示器を作動させずに曲がる割合を示す割合パラメータを取得する取得部と、
前記割合パラメータに基づいて前記先行車が右左折するか否かを判定する判定部と、
前記判定部による判定結果に基づいて前記安全装置の前記所定の作動条件を設定する設定部と、
を備えることを特徴とする。
【０００８】
自車ドライバは、先行車の方向指示器の作動を見て、先行車が右左折することを認識するが、方向指示器を作動させずに右左折する場合もあり、その先行車に対しても右左折に応じて適正に安全装置を作動させることが望ましい。
【０００９】
この点、上記構成では、右左折可能な地点が認識された場合に、先行車が当該地点において方向指示器を作動させずに曲がる割合を示す割合パラメータを取得し、その割合パラメータに基づいて先行車が右左折するか否かを判定する。そして、その判定結果に基づいて安全装置の作動条件を設定するようにした。この場合、先行車が当該地点において方向指示器を作動させずに曲がる割合（割合パラメータ）に基づいて先行車が右左折するか否かを判定することで、例えば、割合パラメータが高い場合には、先行車の方向指示器が作動されていなくても、先行車の右左折を予期して安全装置の作動条件を設定することができる。これにより、先行車が方向指示器を作動させていない場合であっても、先行車の右左折の状況に応じて安全装置を適正に作動させることができる。
【図面の簡単な説明】
【００１０】
【図１】車両制御装置の概略構成を示すブロック図。
【図２】交差点において先行車が方向指示器を作動させている状態を示す図。
【図３】作動率と左折確率との関係を示す相関図。
【図４】左折の車両割合と左折確率との関係を示す相関図。
【図５】ＥＣＵが実行する作動条件の設定処理の手順を示すフローチャート。
【図６】交差点の道路形態を説明するための図。
【図７】第２実施形態におけるＥＣＵが実行する処理手順を示すフローチャート。
【図８】交差角度と左折確率との関係を示す相関図。
【発明を実施するための形態】
【００１１】
（第１実施形態）
図１は、車両制御装置を適用したプリクラッシュセーフティシステム（以下、ＰＣＳＳ：Pre-crash safety systemと記載する。）を示している。本実施形態において、ＰＣＳＳは、自車両の進行方向前方に存在する他車両（先行車）を検出し、検出した先行車と自車両とが衝突する可能性がある場合に、先行車に対する自車両の衝突の回避動作、又は衝突の緩和動作を実施する。
【００１２】
図１に示す自車両５０は、物体検出センサとしてレーダ装置２１及び撮像装置２２と、ナビゲーション装置２３と、送受信装置２４と、ＥＣＵ１０と、安全装置として警報装置３１及びブレーキ装置３２を備えている。図１に示す実施形態において、ＥＣＵ１０が車両制御装置として機能する。
【００１３】
レーダ装置２１は、自車両５０の前部においてその光軸が車両前方を向くように取り付けられており、ミリ波やレーザ等の指向性のある電磁波を送信波として車両前方に送信し、この送信波に対応する反射波に基づいて自車両前方の先行車の相対位置を所定周期で取得する。相対位置は、自車両５０を原点とした場合に、自車両５０の車幅方向をＸ軸とし、自車両５０の進行方向をＹ軸とする相対座標上の位置として取得される。取得された相対位置は、所定周期でＥＣＵ１０へ出力される。
【００１４】
撮像装置２２は、車載カメラであって、例えばＣＣＤカメラ、ＣＭＯＳイメージセンサ、近赤外線カメラ等を用いて構成されている。撮像装置２２は、自車両５０の車幅方向中央の所定高さ（例えば、フロントガラス上端付近）に取り付けられ、自車前方へ向けて所定角度範囲で広がる領域を俯瞰視点から撮像する。撮像された撮像画像は、所定周期毎にＥＣＵ１０へ出力される。撮像装置２２は、単眼カメラであってもよく、ステレオカメラであってもよい。
【００１５】
ナビゲーション装置２３は、自車両５０が走行する道路の道路情報をＥＣＵ１０に提供する。例えば、ナビゲーション装置２３は、地図情報を記録するメモリと、ＧＰＳ（Global Positioning System）衛星から送信される測位情報により地図上での自車両５０の位置を特定するための位置特定部とを備えている。そして、ナビゲーション装置２３は、特定した地図上での自車位置に基づいて、この自車位置周囲の道路情報を参照する。道路情報には、右左折可能な地点の情報が含まれる。右左折可能な地点は、例えば交差点や店舗等の出入り口である。ナビゲーション装置２３は、参照した道路情報をＥＣＵ１０に送信する。
【００１６】
送受信装置２４は、送受信装置等のシステムと情報の送受信が可能な装置である。送受信装置２４は、例えば、先行車１００に備わった送受信装置１１０から発信される情報を受信したり、送受信装置１１０に向けて情報を発信したりする。この場合、自車両５０と先行車１００とで車車間通信が可能となっている。また、送受信装置２４は、自車両５０や先行車１００を含む複数の車両の走行データが蓄積された道路システム２００と情報の送受信が可能となっている。
【００１７】
警報装置３１は、ＥＣＵ１０からの制御指令により、ドライバに対して自車前方に物体が存在することを警報する。警報装置３１は、例えば、車室内に設けられたスピーカや、画像を表示する表示部により構成されている。
【００１８】
ブレーキ装置３２は、自車両５０を制動する制動装置である。ブレーキ装置３２は、前方物体に衝突する可能性が高まった場合に作動する。具体的には、ドライバによるブレーキ操作に対する制動力をより強くしたり（ブレーキアシスト機能）、ドライバによりブレーキ操作が行われてなければ自動制動を行ったりする（自動ブレーキ機能）。
【００１９】
ＥＣＵ１０は、ＣＰＵ、各種メモリ（ＲＯＭ、ＲＡＭ）を備える周知のマイクロコンピュータとして構成されており、ＲＯＭ内の演算プログラムや制御データを参照して、自車両５０における制御を実施する。ＥＣＵ１０は、レーダ装置２１及び撮像装置２２から出力される検出結果に基づいて、警報装置３１やブレーキ装置３２を作動させる。
【００２０】
以下に、ＥＣＵ１０により実施されるＰＣＳについて説明する。まず、ＥＣＵ１０は、レーダ装置２１から出力される相対位置及び撮像装置２２から出力される撮像画像に基づいて、先行車の相対位置（横位置、相対距離を含む）を取得する。ＥＣＵ１０は、撮像画像と予め用意された自動車識別用の辞書情報とに基づいて、撮像画像内の先行車を検出する。自動車識別用の辞書情報として、少なくとも後部パターンの辞書情報が用意されており、ＥＣＵ１０は、撮像画像と辞書情報とをパターンマッチングにより照合することで、先行車を検出する。また、ＥＣＵ１０は、物体情報に基づくレーダ位置と撮像画像に基づく画像位置とが近接する場合は、これらを融合して、フュージョン位置を物体の相対位置として取得する。
【００２１】
ＥＣＵ１０は、取得した先行車の相対位置に基づいて自車両５０が衝突する可能性があるか否かを判定する。具体的には、衝突回避制御の対象となる衝突予測領域内に先行車の横位置が属する場合に、先行車と自車両５０とが衝突する可能性があると判定する。
【００２２】
そして、ＥＣＵ１０は、衝突する可能性があると判定した先行車１００に対し、所定の作動条件に基づいて安全装置３１，３２を作動させる。具体的には、自車両５０と先行車１００とが衝突するまでの余裕時間（ＴＴＣ）を算出し、このＴＴＣに応じて安全装置を作動させる。例えば、ＥＣＵ１０は、算出されたＴＴＣが警報装置３１の通常の作動タイミングＴＴＣ１以下となれば、ドライバに対して先行車が進行方向前方に存在することを警報する。また、算出されたＴＴＣがブレーキ装置３２の通常の作動タイミングＴＴＣ２以下となれば、自車両５０を所定量だけ減速させる自動ブレーキを実施する。
【００２３】
ところで、先行車１００に対する衝突回避では、先行車の右左折の状況に応じてＰＣＳ制御が実施されることが望ましいと考えられる。例えば、図２では、交差点において先行車１００が方向指示器１２０を作動させて左折する状態を示している。この場合、自車両５０のドライバは先行車１００の左の方向指示器の作動を見て先行車１００の左折を把握する。そして、ドライバはそれに合わせて自車両５０を減速させたり、右側に自車両５０を寄せつつ先行車１００を追い抜いたりすると考えられる。
【００２４】
従来のＰＣＳ制御では、例えば先行車１００の方向指示器１２０の作動の有無を検出することで先行車１００の右左折を事前に判定し、それに応じて警報装置３１を作動させたりする。一方、先行車１００が方向指示器１２０を作動させずに交差点を右左折する場合も考えられ、かかる場合に、従来のＰＣＳ制御では先行車１００の右左折を事前に判定することが困難となる。そのため、そのような車両に対しても右左折の状況に応じてＰＣＳ制御が実施されることが望ましい。
【００２５】
そこで、本実施形態では、自車両５０の前方に交差点が認識された場合に、先行車１００が当該交差点において方向指示器１２０を作動させずに曲がる割合を示す割合パラメータ（左折確率Ｐ２）を取得し、その左折確率Ｐ２に基づいて先行車１００が左折するか否かを判定する。そして、その判定結果に基づいて安全装置３１，３２の作動条件を設定するようにした。すなわち、方向指示器１２０を作動させずに左折する先行車１００に対しても、それを予期して安全装置３１，３２が適切に作動されるようにした。なお、以下においては先行車１００の左折について説明するが、右折についても同様に適用することができる。
【００２６】
本実施形態において、ＥＣＵ１０は、先行車１００の左折時における方向指示器１２０の履歴情報に基づいて、左折確率Ｐ２を算出する。先行車１００の履歴情報は、送受信装置２４で受信することによって取得される。ここで、図１を用いて、先行車１００における履歴情報の取得について説明する。
【００２７】
図１において、先行車１００を含め道路走行する各車両は、送受信装置１１０に加え、方向指示器１２０と、旋回運動検出センサ１３０と、ナビゲーション装置１４０と、ＥＣＵ１５０とを有している。
【００２８】
方向指示器１２０は、ドライバによる操作位置が「右指示位置」、「左指示位置」及び「非作動位置」のいずれであるかを示す操作信号をＥＣＵ１５０に出力する。
【００２９】
旋回運動検出センサ１３０は、車両の進行方向から変化する旋回角速度を検出して、その検出信号をＥＣＵ１５０に出力する。この場合、旋回角速度が大きいほど、車両が大きく曲がることを示す。旋回運動検出センサ１３０は、例えば、旋回角速度を検出するヨーレートセンサや、図示しない操舵装置による操舵角を検出する操舵角センサにより構成される。
【００３０】
ナビゲーション装置１４０は、上述のナビゲーション装置２３と同様にして構成される。なお、先行車１００の都度の走行における移動軌跡は、ナビゲーション装置２３の地図情報に逐次反映され、移動履歴として記憶される。
【００３１】
ＥＣＵ１５０は、ＣＰＵ、各種メモリ（ＲＯＭ、ＲＡＭ）を備える周知のマイクロコンピュータとして構成されており、ＲＯＭ内の演算プログラムや制御データを参照して、先行車１００における制御を実施する。
【００３２】
ＥＣＵ１５０は、旋回運動検出センサ１３０からの検出信号に基づいて、先行車１００が旋回運動（例えば左折）しているか否かを判定する。そして、先行車１００が左折していると判定された場合、ＥＣＵ１５０は、その判定回数を左折した回数として逐次記憶する。また、ＥＣＵ１５０は、左折していると判定した時点から所定時間以内前に方向指示器１２０が作動されたか否か、つまり方向指示器１２０の操作位置が「左指示位置」であるか否かを判定する。そして、方向指示器１２０が作動されたと判定された場合、ＥＣＵ１５０は、その判定回数を左折時において方向指示器１２０が作動された回数として逐次記憶する。なお、これらの判定結果が「作動履歴」に相当する。
【００３３】
ＥＣＵ１５０は、作動履歴に基づいて、左折時に方向指示器１２０が作動される割合（作動率Ｐ１）を算出する。作動率Ｐ１は、下記の式（１）に基づいて、算出される。
作動率Ｐ１＝左折時に方向指示器１２０が作動された回数／左折した回数  …  （１）
つまり、作動率Ｐ１が高いほど先行車１００は左折時に方向指示器１２０を作動させる傾向があるといえ、作動率Ｐ１が低いほど先行車１００は方向指示器１２０を作動さない傾向があるといえる。
【００３４】
なお、作動率Ｐ１は、先行車１００の過去全ての走行における作動履歴に基づいて算出されてもよく、イグニッションオンからイグニッションオフまでのワントリップ中の走行における作動履歴に基づいて算出されてもよい。また、ＥＣＵ１５０が先行車１００の移動履歴に基づき交差点ごとに作動履歴を記憶する構成であれば、作動率Ｐ１は、各交差点における作動率として算出されてもよい。この場合、交差点によっては、左折する際における方向指示器１２０の作動の有無が異なると考えられ、かかる構成とすることで、当該交差点における先行車１００の左折を精度良く判定することができる。
【００３５】
ＥＣＵ１５０により取得された作動履歴や作動率Ｐ１は、送受信装置１１０へ出力され、先行車１００の履歴情報として送受信装置２４に送信される。つまり、履歴情報には、作動履歴や作動率Ｐ１が含まれる。そして、送受信装置２４によって受信された履歴情報は、ＥＣＵ１０により取得される。なお、履歴情報には、先行車１００の作動履歴が含まれていればよく、自車両５０のＥＣＵ１０が作動率Ｐ１を算出してもよい。
【００３６】
ＥＣＵ１０は、履歴情報に基づいて左折確率Ｐ２を算出する。左折確率Ｐ２は、例えば、図３に示すように作動率Ｐ１と左折確率Ｐ２との相関マップに基づいて取得される。図３では、作動率Ｐ１が高くなるほど左折確率Ｐ２が小さい値として取得される。つまり、作動率Ｐ１が高いほど、先行車１００の方向指示器１２０の作動の信頼性は高いといえ、先行車１００が方向指示器１２０を作動させずに左折する確率は低くなると考えられる。
【００３７】
一方、先行車１００が作動履歴を取得する構成を有していない場合や、先行車１００との車車間通信において通信障害が生じた場合等には、先行車１００の履歴情報が取得されない。この場合、ＥＣＵ１０は、先行車１００に関する情報（履歴情報）に代えて、交差点の左折に関する統計情報を取得し、それに基づいて左折確率Ｐ２を算出する。この場合、ＥＣＵ１０は、道路システム２００から、当該交差点を通過する車両の直進、左折、右折の割合を示す車両割合を取得する。
【００３８】
道路システム２００は、交差点ごとに、当該交差点を通過する車両の直進、左折、右折を含む走行パターンを逐次記憶しており、各交差点において、直進の車両割合、左折の車両割合、右折の車両割合を蓄積している。そして、ＥＣＵ１０は、送受信装置２４を介して、道路システム２００に記憶された各交差点における各車両割合から、自車両５０前方の交差点の左折の車両割合を取得する。
【００３９】
なお、左折の車両割合の取得に際し、さらに、当該交差点における、車速に応じた直進、左折、右折の各割合を示す統計情報を加味してもよい。この統計情報では、交差点に進入する直前の車速が大きいほど直進の割合が大きくなり、交差点に進入する直前の車速が小さいほど左折及び右折の割合が大きくなると考えられる。かかる構成において、ＥＣＵ１０は、レーダ装置２１の入力等に基づいて、先行車１００の交差点の所定距離手前の車速を取得する。そして、ＥＣＵ１０は、取得した車速に基づく当該交差点における各割合を加味して、自車両５０前方の交差点の左折の車両割合を取得する。
【００４０】
ＥＣＵ１０は、取得された左折の車両割合に基づいて左折確率Ｐ２を算出する。この場合、左折確率Ｐ２は、例えば図４に示すように左折の車両割合と左折確率Ｐ２との相関マップに基づいて取得される。図４では、左折の車両割合が高くなるほど左折確率Ｐ２が大きい値として取得される。この場合、交差点における先行車１００の走行パターンは、交差点を通過する車両の走行パターンにある程度相関すると考えられるため、交差点において左折する車両の割合が高いほど、先行車１００も左折する確率も高くなると考えられる。
【００４１】
そして、ＥＣＵ１０は、算出された左折確率Ｐ２に基づいて、先行車１００が左折するか否かを判定する。具体的には、左折確率Ｐ２が所定の閾値Ｔｈよりも大きい場合に、先行車１００が左折すると判定する。そして、ＥＣＵ１０は、この判定結果に基づいて、安全装置３１，３２の作動条件を設定する。具体的には、先行車１００が方向指示器１２０を作動させずに左折すると判定された場合は、安全装置３１，３２の作動条件を緩くする側に変更する。この場合、警報装置３１の通常の作動タイミングＴＴＣ１を大きくする側に変更し、ブレーキ装置３２の通常の作動タイミングＴＴＣ２を大きくする側に変更する。つまり、安全装置が作動されやすくなる側に作動条件を変更する。一方、先行車１００が左折しないと判定された場合は、作動条件についての緩くする側への変更を行わない。つまりこの場合、ＥＣＵ１０は、通常の作動タイミングＴＴＣ１，ＴＴＣ２に基づいて安全装置３１，３２を作動させる。
【００４２】
図５のフローチャートを用いて、ＥＣＵ１０により実施される安全装置３１，３２の作動条件の設定処理について説明する。この処理は、ＥＣＵ１０により所定周期で繰り返し実施される。
【００４３】
ステップＳ１１では、先行車１００を検出しているか否かを判定する。先行車１００は、例えばレーダ装置２１や撮像装置２２の出力に基づいて検出される。ステップＳ１１がＹＥＳであれば、ステップＳ１２に進む。
【００４４】
ステップＳ１２では、自車両５０の前方に交差点が認識されたか否かを判定する。具体的には、自車両５０と交差点との距離が所定値Ｄｔｈ以下であって、かつ、先行車１００が当該交差点を通過する前の状態であるか否かを判定する。例えば、自車両５０と交差点と先行車１００との位置関係が図２に示すような場合に、ステップＳ１２が肯定される。なお、自車両５０前方の交差点は、例えばナビゲーション装置２３や撮像装置２２の出力に基づいて認識される。ステップＳ１２が「認識部」に相当する。
【００４５】
ステップＳ１２がＹＥＳであればステップＳ１３に進む。ステップＳ１３では、先行車１００の履歴情報を取得する。ここでは、送受信装置１１０と送受信装置２４との情報通信によって、履歴情報を取得する。なお、ステップＳ１１及びステップＳ１２がＮＯであれば、そのまま本処理を終了する。
【００４６】
ステップＳ１４では、先行車１００の方向指示器１２０が作動しているか否かを判定する。例えば、撮像画像に基づいて先行車１００の左の方向指示器の点滅状態を検出することで、方向指示器１２０の作動を判定する。
【００４７】
ステップＳ１４がＹＥＳであれば、先行車１００は左折すると判断して、安全装置３１，３２の作動タイミングを設定する（ステップＳ２０）。ここでは、作動タイミングを通常の作動タイミングよりも遅くする側に設定する。例えば、警報装置３１の通常の作動タイミングＴＴＣ１を小さくする側に変更する。先行車１００の方向指示器１２０が作動している場合、自車ドライバは先行車１００が左折することを事前に把握することができ、それに基づいた走行を実施すると考えられる。例えば、自車両５０が先行車１００を追い抜きながら交差点を直進する場合もあり、かかる場合に安全装置が作動されるとドライバは煩わしさを感じると考えられる。そこで、安全装置の作動タイミングが通常の作動タイミングよりも遅くする側に設定されることでドライバの煩わしさが軽減される。
【００４８】
一方、ステップＳ１４がＮＯの場合、つまり先行車１００の方向指示器１２０が作動していないと判定された場合は、先行車１００が方向指示器１２０を作動させずに左折するか否かを判定する判定処理に進む。
【００４９】
ステップＳ１５では、先行車１００の履歴情報が取得されたか否かを判定する。ステップＳ１５がＹＥＳの場合、ステップＳ１６へ進み、取得された履歴情報に基づいて左折確率Ｐ２を算出する。ここでは、履歴情報として作動率Ｐ１を用い、図３に示す相関マップに基づいて左折確率Ｐ２を算出する。
【００５０】
一方、ステップＳ１５がＮＯの場合、つまり先行車１００の履歴情報が取得されない場合は、ステップＳ１７に進む。ステップＳ１７では、ステップＳ１２で認識された交差点における左折の車両割合を取得する。左折の車両割合は、例えば道路システム２００と送受信装置２４との情報通信によって取得される。ステップＳ１８では、取得された左折の車両割合に基づいて、左折確率Ｐ２を算出する。例えば、左折の車両割合を図４に示す相関マップに適用し左折確率Ｐ２を算出する。ステップＳ１６が「取得部」に相当し、ステップＳ１７が「割合取得部」に相当する。
【００５１】
ステップＳ１９では、算出された左折確率Ｐ２が所定の閾値Ｔｈよりも大きいか否かを判定する。ステップＳ１９がＹＥＳであれば、方向指示器１２０を作動させずに先行車１００が左折すると判断し、ステップＳ２１に進む。ステップＳ２１では、安全装置３１，３２の作動タイミングを設定する。ここでは警報装置３１及びブレーキ装置３２の作動タイミングをいずれも通常の作動タイミングよりも早くする側に設定する。つまり安全装置の作動条件を緩くする側に変更する。
【００５２】
一方、ステップＳ１９がＮＯであれば、先行車１００は左折しないと判断し、ステップＳ２２に進む。ここでは作動タイミングを通常の作動タイミングに設定する。例えば、警報装置３１の作動タイミングをＴＴＣ１に設定し、ブレーキ装置３２の作動タイミングをＴＴＣ２に設定する。ステップＳ１９が「判定部」に相当し、ステップＳ２０，Ｓ２１が「設定部」に相当する。
【００５３】
なお、ステップＳ１６にて先行車１００の履歴情報に基づいて左折確率Ｐ２を取得した場合と、ステップＳ１８にて交差点における左折の車両割合に基づいて左折確率Ｐ２を取得した場合とで、後続のステップＳ１９，Ｓ２１における処理内容を変更してもよい。例えば、上記の各場合においてＳ１９の閾値Ｔｈを異なる値としてもよく、又、上記の各場合においてステップＳ２１の安全装置３１，３２の作動タイミングを早くする程度を異なるものとしてもよい。
【００５４】
以上詳述した本実施形態によれば、以下の優れた効果が得られる。
【００５５】
上記構成では、右左折可能な地点として交差点が認識された場合に、先行車１００が当該地点において方向指示器１２０を作動させずに曲がる割合を示す左折確率Ｐ２を取得し、その左折確率Ｐ２に基づいて先行車１００が左折するか否かを判定する。具体的には、左折確率Ｐ２が所定の閾値Ｔｈよりも大きい場合に先行車１００が左折すると判定する。そして、その判定結果に基づいて安全装置３１，３２の作動タイミングを設定するようにした。この場合、左折確率Ｐ２に基づいて先行車１００が左折するか否かを判定することで、左折確率Ｐ２が所定の閾値Ｔｈよりも大きい場合には、先行車１００の方向指示器１２０が作動されていなくても、先行車１００の左折を予期して安全装置３１，３２の作動条件を設定することができる。これにより、先行車１００が方向指示器１２０を作動させていない場合であっても、先行車１００の左折の状況に応じて安全装置３１，３２を適正に作動させることができる。
【００５６】
具体的には、先行車１００について右左折時における方向指示器１２０の作動履歴を示す履歴情報に基づいて左折確率Ｐ２を取得するようにしたため、例えば先行車１００が方向指示器１２０を作動させずに左折する傾向があるといった先行車１００の方向指示器１２０の傾向を加味した上で、右左折を予期することができる。
【００５７】
また、方向指示器１２０の作動率Ｐ１が高くなるほど、左折確率Ｐ２は小さい値として取得するようにしたため、例えば先行車１００の方向指示器１２０の作動率Ｐ１が所定値よりも低い場合、つまり先行車１００が方向指示器１２０を作動させずに左折する傾向がある場合は、先行車１００が左折すると判定されやすくなる。これにより、先行車１００が方向指示器１２０を作動させずに左折した場合であっても、それに対応して安全装置３１，３２を作動させることができる。
【００５８】
交差点における先行車１００の走行パターンは、交差点を通過する車両の走行パターンにある程度相関すると考えられる。この点を考慮し、先行車１００の履歴情報が取得されていない場合に、ステップＳ１６における左折確率Ｐ２に代えて、認識された交差点における車両割合に基づくパラメータ（ステップＳ１８における左折確率Ｐ２）に基づいて、先行車１００が左折するか否かを判定するようにしたため、先行車１００の履歴情報が取得されていない場合であっても、統計に基づいて先行車１００の左折を予期して安全装置３１，３２の作動条件を設定することができる。
【００５９】
先行車１００が方向指示器１２０を作動させずに曲がる場合、自車ドライバは、先行車１００の右左折を事前に予測することが困難なため、例えば先行車１００の右左折に伴う減速に対応できず、自車両５０の減速が遅れることが考えられる。この点を考慮し、方向指示器１２０を作動させずに交差点を左折すると判定された場合に、安全装置３１，３２の作動タイミングを通常の作動タイミングＴＴＣ１，ＴＴＣ２よりも早くする側に設定するようにした。この場合、作動タイミングを早くする側に設定することで、安全装置３１，３２が作動されやすくなる。そのため、先行車１００の左折に伴う減速に対しても、安全装置３１，３２を速やかに作動させることができる。
【００６０】
（第１実施形態の変形例）
・上記実施形態では、図５のステップＳ１６において、ＥＣＵ１０は、作動履歴に基づいて左折確率Ｐ２を算出したが、作動履歴に他のパラメータを加えて左折確率Ｐ２を算出してもよい。他のパラメータとして、例えば、交差点における先行車１００の直進、左折、右折の割合を示す進行方向割合が用いられる。交差点によっては、車両における直進、左折、右折の傾向が異なると考えられる。この点を考慮し、先行車１００の履歴情報と認識された交差点での進行方向割合とに基づいて、左折確率Ｐ２が算出されることで、当該交差点における先行車１００の左折の有無をより適切に判定することができる。なお、かかる構成では、先行車１００の左折の進行方向割合が高い場合は、それよりも低い場合に比べて左折確率Ｐ２が大きい値として算出されるとよい。
【００６１】
また、その他のパラメータとして、先行車１００の挙動情報を用いてもよい。挙動情報として、例えば、先行車１００の進行方向に交差する方向である横方向についての位置の変化量である横移動量が用いられる。一般に車両が交差点を左折する際には、交差点に進入する前に車両の横方向についての位置が左寄りに変化すると考えられる。この点を考慮し、先行車１００の横移動量を用いて左折確率Ｐ２を算出してもよい。
【００６２】
・上記実施形態では、ＥＣＵ１０は、作動履歴を自車両５０と先行車１００との車車間通信によって取得したが、例えば、作動履歴を自車両５０と道路システム２００との通信によって取得してもよい。この場合、道路システム２００は、道路走行する各車両と通信可能となっており、各車両について右左折可能な地点における方向指示器の作動実績を逐次取得し、メモリ（記憶部）に記憶するシステムとなっている。そして、ＥＣＵ１０は、先行車１００を検出すると、撮像画像に基づいて認識される先行車１００の車両ナンバを道路システム２００に送信する。そして、道路システム２００において蓄積された各車両の作動実績から先行車１００の作動実績が照合され、その作動実績が履歴情報としてＥＣＵ１０に取得される。上記構成では、先行車１００の履歴情報を安定して取得することができると考えられる。
【００６３】
・上記実施形態では、警報装置３１及びブレーキ装置３２の作動タイミングをいずれも早くする側に変更したが、いずれか一方のみを早くする側に変更してもよく、例えば警報装置３１の作動タイミングのみを早くする側に変更してもよい。
【００６４】
（第２実施形態）
上記第１実施形態では、先行車１００に関する情報（履歴情報）に基づいて、左折確率Ｐ２を算出する構成とした。これに対し、第２実施形態では、交差点の道路形態に基づいて左折確率Ｐ２を算出する構成としている。
【００６５】
交差点によって道路形態は様々であると考えられる。例えば、図６において、自車両５０が交差点Ｑ，Ｒを矢印の方向で直進する場合、交差点Ｑでは自車両５０の走行路に対し道路Ｌ１が直交するのに対し、交差点Ｒでは自車両５０の走行路に対し道路Ｌ２が直交していない。ここで、車両が交差点Ｒを左折する場合と交差点Ｑを左折する場合とを比較すると、交差点Ｒを左折する場合の方が車両の旋回角度が小さくなるため、方向指示器を作動させない車両の数が増加すると考えられる。
【００６６】
そこで、ＥＣＵ１０は、自車両５０の前方の交差点の道路形態を取得し、その道路形態に基づいて左折確率Ｐ２を算出する。交差点の道路形態は、例えばナビゲーション装置２３の地図情報に基づいて取得される。
【００６７】
第２実施形態において実施される安全装置３１，３２の作動条件の設定処理について、図７のフローチャートを用いて説明する。本処理は、上述の図５に置き換えてＥＣＵ１０により所定周期で繰り返し実施される。なお図７では、図５と同様の処理について同一のステップ番号を付して説明を簡略にする。
【００６８】
図７において、自車両５０の前方に先行車１００が検出され、かつ交差点が認識されていると判定された場合（ステップＳ１１，Ｓ１２が共にＹＥＳの場合）、ステップＳ３１に進む。ステップＳ３１では、ステップＳ１２で認識された交差点の道路形態を取得する。道路形態として、例えば交差角度θを取得する。交差角度θは、例えば、交差点を自車両５０が左折するとした場合における自車両５０の旋回角度に対応した角度（例えば、図６のθｑ，θｒ）である。
【００６９】
続くステップＳ１４において、先行車１００の方向指示器が作動していないと判定されると（ステップＳ１４：ＮＯ）、ステップＳ３２に進む。ステップＳ３２では、道路形態に基づいて左折確率Ｐ２を算出する。左折確率Ｐ２は、例えば、図８に示すように交差角度θと左折確率Ｐ２との相関マップに基づいて取得される。図８では、交差角度θが所定値Ａ（例えば９０°よりも小さい値）よりも大きい場合は、左折確率Ｐ２が一定となっている。一方、交差角度θが所定値Ａよりも小さい場合、つまり交差角度θが鋭角の場合は、交差角度θが小さくなるほど左折確率Ｐ２が大きい値として取得される。この場合、交差角度θが小さくなるほど、車両の旋回角度（操舵装置を操作する量）は小さくすむため、ドライバが方向指示器を作動させずに左折する確率は高くなると考えられる。
【００７０】
ステップＳ１９では、算出された左折確率Ｐ２が所定の閾値Ｔｈよりも大きいか否かを判定し、その判定結果に基づいて安全装置３１，３２の作動タイミングを設定する（Ｓ２１，Ｓ２２）。
【００７１】
道路形態によっては、車両において方向指示器を作動させるか否かの傾向に違いがあることが考えられる。例えば、右左折地点である交差点で道路が直交しておらず、鋭角をなす角度で道路が交差している場合、当該地点において方向指示器を出さない車両が増えると考えられる。この点を考慮し、上記構成では、道路形態として交差点における交差角度θに基づいて左折確率Ｐ２を算出するようにしたため、交差角度θに基づく方向指示器の作動状況の傾向を加味して、右左折の判定を実施することができる。
【００７２】
（第２実施形態の変形例）
・上記第２実施形態では、道路形態として交差点における交差角度θを用いて左折確率Ｐ２を算出したが、これを変更し、道路形態に関する他のパラメータを用いて左折確率Ｐ２を算出してもよい。例えば、Ｙ字状等の分岐路において左折確率Ｐ２を算出してもよい。
【００７３】
（変形例）
・上記実施形態の図５及び図７のステップＳ２１において、左折確率Ｐ２に応じて作動タイミングを早くする側に設定してもよい。この場合、例えば左折確率Ｐ２が高くなるほど作動タイミングがより早くなる側に設定される。
【００７４】
・上記実施形態の図５及び図７のステップＳ２１では、安全装置３１，３２の作動タイミングを早くする側に設定したが、これを変更し、安全装置３１，３２の作動タイミングを遅くする側に設定してもよい。この場合、例えば警報装置３１の通常の作動タイミングＴＴＣ１を小さくする側に変更し、ブレーキ装置３２の通常の作動タイミングＴＴＣ２を小さくする側に変更する。つまり、安全装置が作動されにくくなる側に作動条件を変更する。
【００７５】
ここで、先行車１００が方向指示器１２０を作動させていなくても、例えば先行車１００が減速しながら進行方向右側や進行方向左側に横移動する場合には、自車ドライバは、先行車１００の右左折を把握することができると考えられる。かかる場合には自車両５０が先行車１００を追い抜きながら交差点を直進することが考えられ、その際に安全装置が作動されるとドライバは煩わしさを感じる。そこで、安全装置３１，３２の作動条件を厳しくする側に変更することで、ドライバの煩わしさが軽減される。
【００７６】
なお、かかる構成において、ステップＳ２１にて左折確率Ｐ２に応じて作動タイミングを遅くする側に設定してもよい。この場合、例えば左折確率Ｐ２が高くなるほど作動タイミングがより遅くなる側に設定される。
【符号の説明】
【００７７】
１０…ＥＣＵ、３１…警報装置、３２…ブレーキ装置、５０…自車両、１００…先行車。
【図１】
2019016104.tif 000003
【図２】
2019016104.tif 000004
【図３】
2019016104.tif 000005
【図４】
2019016104.tif 000006
【図５】
2019016104.tif 000007
【図６】
2019016104.tif 000008
【図７】
2019016104.tif 000009
【図８】
2019016104.tif 000010